(57)【要約】【課題】表示部を有する第一装飾体を移動させて遊技者の注目を第一装飾体のみに確実に集めつつ、さらに、表示部を有さない第二装飾体とともに移動して、遊技者の注目を双方の装飾体に集めることができる演出装置および遊技機を提供する。【解決手段】第一装飾体１１０が原点位置から第一演出位置に上昇するとき、突起部１１２Ｌ，１１２Ｒは引掛穴１５２Ｌ，１５２Ｒ内を移動して移動体１５０を押圧しない。第一装飾体１１０がさらに第二演出位置に上昇するとき、突起部１１２Ｌ，１１２Ｒが引掛穴１５２Ｌ，１５２Ｒを押し上げ、第二装飾体１３０Ｌ，１３０Ｒが上昇する。第二装飾体１３０Ｌ，１３０Ｒは回転軸１３６Ｌ，１３６Ｒが移動体１５０に支持され、揺動軸１３９Ｌ，１３９Ｒが連結部材１７０を介し支持体１６０に支持されるので回動し、第一装飾体１１０に集まった遊技者の注目を向けさせることができる。【選択図】図４
2014061216.tif 000002
【特許請求の範囲】
【請求項１】
モータと、
前記モータの動力で上下方向に移動するとともに、遊技に関する情報を表示する表示部と、前記上下方向に直交する前後方向に沿って後方へ向けて突出するピンとを有する第一装飾体と、
前記モータを保持するとともに、前記前後方向において前記第一装飾体よりも後方側で前記第一装飾体と向き合って配置され、前記第一装飾体を前記上下方向へ移動可能に支持する支持体と、
前記前後方向において前記第一装飾体と前記支持体との間に配置され、前記支持体に前記上下方向へ移動可能に支持されつつ、自重により、下方へ向けた移動状態が維持され、且つ、前記上下方向に延びて前記ピンが係合する係合溝を有する移動体と、
前記移動体の上部に設けられた第二装飾体と、
を備え、
前記係合溝は、前記第一装飾体が前記上下方向に移動可能な範囲において前記ピンが位置する最下点の位置と最上点の位置との間の長さよりも短い長さで前記上下方向に延びることを特徴とする演出装置。
【請求項２】
前記表示部は、複数の７セグメント表示器で構成したことを特徴とする請求項１に記載の演出装置。
【請求項３】
前記支持体に設けられ、前記モータの動力によって軸回りに回転するピニオンと、
前記第一装飾体に設けられ、前記上下方向に延び、前記ピニオンに噛み合う歯部を有するラックと、
をさらに備えたことを特徴とする請求項１または２に記載の演出装置。
【請求項４】
前記第二装飾体は、前記移動体の上部において、前記前後方向と直交する平面内を回動可能に支持され、且つ、前記支持体の上部に、揺動可能な連結部材で連結することを特徴とする請求項１から３のいずれかに記載の演出装置。
【請求項５】
請求項１から４のいずれかに記載の演出装置と、
前記モータの回転を制御して前記第一装飾体の移動位置を調整する制御手段と、
を備えたことを特徴とする遊技機。
【発明の詳細な説明】
【技術分野】
【０００１】
本発明は、モータの動力によって装飾体を移動させる演出を行う演出装置および遊技機に関する。
【背景技術】
【０００２】
従来、遊技機に用いられる演出装置として、上下方向に移動する装飾体を上昇させて開成することで各種演出を行う演出装置が知られている。例えば特許文献１に開示される遊技機の演出装置は、昇降駆動モータを駆動してアーム回転ギアを回動することで、昇降ユニットアームが軸着部を中心として上方へ回動され、これに伴い上昇する２つの装飾体（昇降装飾ユニット）がそれぞれ開成することで演出が行われる。
【先行技術文献】
【特許文献】
【０００３】
【特許文献１】特開２０１２−１２５４５８号公報
【発明の概要】
【発明が解決しようとする課題】
【０００４】
しかしながら、特許文献１に記載の演出装置では、２つの装飾体が、互いに歯合する２つのアーム回転ギアの回動によって同時に上昇して同時に開成してしまう。一方の装飾体が表示部を有する場合、表示部の表示に遊技者の注目を集めようとしても、他方の装飾体の動作も遊技者の視界に入ってしまうため、一方の装飾体のみに遊技者の注目を集めることは難しかった。
【０００５】
本発明は、上記課題を解決するためになされたものであり、表示部を有する第一装飾体を移動させて遊技者の注目を第一装飾体のみに確実に集めつつ、さらに、表示部を有さない第二装飾体とともに移動して、遊技者の注目を双方の装飾体に集めることができる演出装置および遊技機を提供することを目的とする。
【課題を解決するための手段】
【０００６】
本発明の第１態様によれば、モータと、前記モータの動力で上下方向に移動するとともに、遊技に関する情報を表示する表示部と、前記上下方向に直交する前後方向に沿って後方へ向けて突出するピンとを有する第一装飾体と、前記モータを保持するとともに、前記前後方向において前記第一装飾体よりも後方側で前記第一装飾体と向き合って配置され、前記第一装飾体を前記上下方向へ移動可能に支持する支持体と、前記前後方向において前記第一装飾体と前記支持体との間に配置され、前記支持体に前記上下方向へ移動可能に支持されつつ、自重により、下方へ向けた移動状態が維持され、且つ、前記上下方向に延びて前記ピンが係合する係合溝を有する移動体と、前記移動体の上部に設けられた第二装飾体と、を備え、前記係合溝は、前記第一装飾体が前記上下方向に移動可能な範囲において前記ピンが位置する最下点の位置と最上点の位置との間の長さよりも短い長さで前記上下方向に延びることを特徴とする演出装置が提供される。
【０００７】
第二装飾体は、移動体の自重によって、移動体とともに下方に位置している。第一装飾体がモータによって上方向に移動するとき、第一装飾体のピンが移動体の係合溝内を移動するため、移動体と第二装飾体は動かない。これにより、第一装飾体の表示部のみに遊技者の注目を確実に集めることができる。第一装飾体の上方向への移動をさらに続けた場合、移動体の係合溝の長さが第一装飾体の移動範囲の長さ（ピンの最下点の位置と最上点の位置との間の長さ）より短いため、ピンが係合溝の上端に達する。そしてピンで移動体を上方向に押し上げるので、第二装飾体が第一装飾体とともに上方向に移動する。第一装飾体と第二装飾体が協働するため、演出がよりダイナミックなものとなり、遊技者に、遊技に対する期待感をより高めさせることができる。
【０００８】
第１態様において、前記表示部は、複数の７セグメント表示器で構成してもよい。７セグメント表示器はドットマトリクスや液晶等の表示器と比べて表示できるメッセージが限られるので、メッセージを受け取った遊技者の想像力を働かせ、遊技に対する期待感や高揚感を高めさせることができる。
【０００９】
第１態様は、前記支持体に設けられ、前記モータの動力によって軸回りに回転するピニオンと、前記第一装飾体に設けられ、前記上下方向に延び、前記ピニオンに噛み合う歯部を有するラックと、をさらに備えてもよい。ラックとピニオンによる動力伝達は、ギアとギアの噛み合わせを複数段重ねて動力を伝達する場合と比べて省スペース化を図ることができる。ゆえに、第一装飾体や第二装飾体のレイアウトに対する制限が小さくて済み、よりダイナミックな動作を行う装飾体を配置することが可能となる。また、動力伝達の段数が少なくて済むので、モータにかかる負荷が小さくて済む。
【００１０】
第１態様において、前記第二装飾体は、前記移動体の上部において、前記前後方向と直交する平面内を回動可能に支持され、且つ、前記支持体の上部に、揺動可能な連結部材で連結してもよい。第一装飾体とともに移動体が上方に移動する際に、第二装飾体は、回動可能に支持される部位が上方に移動するが、支持体に連結部材を介して連結するため、上昇しながら回動する。第二装飾体は単に上昇するだけでなく上昇しながら回動するという躍動的な動きを見せるので、第二装飾体よりも先に動作した第一装飾体に集まっている遊技者の注目を、第二装飾体にも向けさせることができる。
【００１１】
本発明の第２態様によれば、第１態様に係る演出装置と、前記モータの回転を制御して前記第一装飾体の移動位置を調整する制御手段と、を備えた遊技機が提供される。モータの回転制御によって第一装飾体の移動位置を調整するだけで、第一装飾体だけが動作する演出と、第一装飾体と第二装飾体が協働する演出とを容易に選択することができる。
【図面の簡単な説明】
【００１２】
【図１】パチンコ機１の正面図である。
【図２】ケース体３０の斜視図である。
【図３】演出装置１００の斜視図である。
【図４】演出装置１００の分解斜視図である。
【図５】原点位置における演出装置１００の正面図である。
【図６】原点位置における演出装置１００の背面図である。
【図７】第一演出位置における演出装置１００の正面図である。
【図８】第一演出位置における演出装置１００の背面図である。
【図９】第二演出位置における演出装置１００の正面図である。
【図１０】第二演出位置における演出装置１００の背面図である。
【発明を実施するための形態】
【００１３】
以下、本発明に係る演出装置および遊技機の一実施の形態である演出装置１００とパチンコ機１について、図面を参照して説明する。まず、演出装置１００を備えるパチンコ機１の機械的な構成について、図１を参照して説明する。なお、以下の説明において、パチンコ機１の上下方向、左右方向、および表裏方向については、特に断りがない場合、遊技盤２の盤面の向きを基準とする。すなわち、ホールに設置されたパチンコ機１で遊技を行う遊技者からパチンコ機１を見た向き（図１に図示されるパチンコ機１の向き）が基準となる。以下では便宜上、表裏方向を前後方向として説明を行う。また、パチンコ機１に使用される装置や部品についても、パチンコ機１に組み付けられた場合の向きを基準に、上下方向、左右方向、および前後方向を規定するものとする。
【００１４】
図１に示すように、パチンコ機１の上段側には遊技盤２が設けられている。遊技盤２は略正方形であり、透明なガラス板を保持した前面枠１３によって前面を保護されている。遊技盤２の下段側には上皿５および下皿６が設けられている。上皿５は遊技盤２の下部に設けられ、発射機（図示外）に遊技球を供給し、且つ賞品球を受ける。上皿５の上部中央には、遊技者によって操作される操作ボタン９が配設されている。下皿６は上皿５の直下に設けられ、上皿５から溢れたり排出されたりする賞品球を受ける。下皿６の右横には、遊技球の発射を調整する発射ハンドル７が設けられている。また、前面枠１３の上部の左右の角には、スピーカ４８がそれぞれ設けられている。
【００１５】
遊技盤２の前面には、ガイドレール３で囲まれた略円形の遊技領域４が形成されている。遊技領域４の略中央には、ＬＣＤ（液晶ディスプレイ）等を用いて構成される表示装置２８が設けられている。表示装置２８の表示画面には、動画、メッセージ等の様々な映像が表示され、特に、大当り判定の結果を報知するためのデモ図柄が表示される。パチンコ機１は、複数（本実施形態では３つ）のデモ図柄を変動させた後に、大当たり判定の結果を示すデモ図柄の組み合わせを確定表示させる報知演出を実行することで、大当たり判定の結果を遊技者に報知する。
【００１６】
表示装置２８の外縁を取り囲むように、各種演出を行う複数の演出装置が設けられている。そのうちの一つである演出装置１００は、表示装置２８の下側外縁に沿って設けられている。詳細については後述するが、演出装置１００は、モータの動力を用いて装飾体を駆動し、さらにＬＥＤ等の発光体を発光させ、表示装置２８およびスピーカ４８等と連動しながら様々な演出を行う。
【００１７】
表示装置２８の右方には普通図柄始動ゲート１２が設けられている。普通図柄始動ゲート１２の下方には第二特別図柄始動電動役物１５が配設されている。第二特別図柄始動電動役物１５の左斜め下方には、通常アタッカー１６が設けられている。通常アタッカー１６は開閉部材を備え、遊技球は、開閉部材が開放した状態でのみ、通常アタッカー１６に入賞できる。表示装置２８の下方には、第一特別図柄始動入賞口１４が設けられている。第一特別図柄始動入賞口１４の直下にはＶアタッカー１７が設けられている。Ｖアタッカー１７も開閉部材を備え、遊技球は、開閉部材が開放した状態でのみ、Ｖアタッカー１７に入賞できる。第一特別図柄始動入賞口１４、第二特別図柄始動電動役物１５、通常アタッカー１６、Ｖアタッカー１７に遊技球が入賞すると、それぞれ所定数の遊技球が商品球として払い出される。
【００１８】
本実施形態では、第一特別図柄始動入賞口１４に入賞すると、第一特別図柄大当たり判定が行われる。その結果、大当たりであると判定されると、通常アタッカー１６およびＶアタッカー１７が所定の順序で開放される大当たり遊技が実行される。Ｖアタッカー１７に入賞した遊技球の流路には、特定領域および非特定領域が形成されている。パチンコ機１では、大当たり遊技中に遊技球がＶアタッカー１７内の特定領域を通過することが、大当たり遊技終了後に確率変動状態を生起する条件となっている。Ｖアタッカー１７は、本実施の形態では１回の大当たり遊技中に１回開放される。なお、遊技盤２の背面側には、遊技の主制御、各種演出等を制御する制御部（図示外）が設けられている。
【００１９】
また、普通図柄始動ゲート１２を遊技球が通過すると、普通当たり判定が行われる。その結果、普通当たりであると判定されると、第二特別図柄始動電動役物１５が開放される。遊技球が第二特別図柄始動電動役物１５に入賞すると、第二特別図柄大当たり判定が行われる。その結果、大当たりであると判定されると、上記同様に大当たり遊技が実行される。
【００２０】
図示しないが、パチンコ機１の背面側には、各種基板を備えた制御部が設けられている。制御部の各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。中継基板は、主基板で行われた制御結果に基づいて、通常アタッカー１６やＶアタッカー１７の開閉部材の開閉を行うソレノイドを駆動する。また、演出基板は、後述する演出装置１００の表示部１２０の表示制御や、電飾用ＬＥＤ等の発光制御、第一装飾体１１０および第二装飾体１３０Ｌ，１３０Ｒを昇降させる駆動モータ１８０Ｌ，１８０Ｒの駆動制御等を行う。
【００２１】
次に、図２〜図４を参照し、演出装置１００の構造の詳細について説明する。図２に示すように、本実施形態の演出装置１００は、枠状の樹脂ケースからなるケース体３０の前面側に設けられる。ケース体３０の前側には遊技盤２（図１参照）が設けられ、後側には表示装置２８が設けられる。ケース体３０は、表示装置２８の表示面をパチンコ機１の正面側に露出させる開口部３１が形成されている。演出装置１００は左右方向の長さが開口部３１の横幅よりも若干大きく、上下方向の長さは横幅よりも小さい。演出装置１００は稼働時に後述する第一装飾体１１０および第二装飾体１３０Ｌ，１３０Ｒが上昇し、表示装置２８の表示面の下段側を覆う。演出装置１００は、非稼働時には、第一装飾体１１０および第二装飾体１３０Ｌ，１３０Ｒは下降し、遊技盤２の背面側で遊技者からは見え難い位置に隠れる。第一装飾体１１０の表示部１２０は、演出装置１００の非稼働時においてもパチンコ機１の正面側に露出している（図１参照）。
【００２２】
図３、図４に示すように、演出装置１００は、概略、第一装飾体１１０、第二装飾体１３０Ｌ，１３０Ｒ、表示部１２０、支持体１６０、移動体１５０、連結部材１７０Ｌ，１７０Ｒ、駆動モータ１８０Ｌ，１８０Ｒ、カバー体１９０Ｌ，１９０Ｒを備える。上記各部の詳細は後述するが、概略、以下の配置関係において演出装置１００を構成し、演出動作を行う。第一装飾体１１０は表示部１２０を備え、駆動モータ１８０Ｌ，１８０Ｒの駆動によって上下方向に昇降する。支持体１６０は第一装飾体１１０の後方において第一装飾体１１０と向き合って配置され、第一装飾体１１０を昇降可能に支持する。移動体１５０は第一装飾体１１０と支持体１６０の間に配置され、第一装飾体１１０の上昇途中から、第一装飾体１１０に従動して上昇する。第二装飾体１３０Ｌ，１３０Ｒは、移動体１５０の上部に設けられており、前後方向と直交する平面内を回動可能に支持されている。第二装飾体１３０Ｌ，１３０Ｒは、それぞれ、揺動可能な連結部材１７０Ｌ，１７０Ｒによって支持体１６０の上部に連結されている。第二装飾体１３０Ｌ，１３０Ｒは、移動体１５０が支持体１６０に対して相対的に移動すると、回動する。
【００２３】
以下、演出装置１００の各部の構成について説明する。まず、支持体１６０について説明する。図４に示す、支持体１６０は、演出装置１００を支える基体であり、ケース体３０（図２参照）に演出装置１００を取り付ける際にケース体３０に固定される。支持体１６０は上下方向を幅方向として左右方向に延びる板状をなし、背面側から後方へ向けて立ち上がる複数のリブによって、前後方向への厚みを有する。支持体１６０は前面側の左右方向中央よりもやや左寄りの位置に、細幅で上下方向に延びる凹部状のガイドレール１６１を有する。ガイドレール１６１には、移動体１５０（後述）の背面側に設けられたベアリング機構１５１が係合し、移動体１５０の上下方向への移動を案内する。
【００２４】
支持体１６０は、ガイドレール１６１の左右方向外側に、上下方向に延びる２つの退避溝１６２Ｌ，１６２Ｒを有する。後述する第一装飾体１１０には、移動体１５０の引掛穴１５２Ｌ，１５２Ｒ（後述）に係合する２つの突起部１１２Ｌ，１１２Ｒが、後方へ向けて突出されている。突起部１１２Ｌ，１１２Ｒは引掛穴１５２Ｌ，１５２Ｒを貫通して先端部が支持体１６０に到達するが、退避溝１６２Ｌ，１６２Ｒは、突起部１１２Ｌ，１１２Ｒが支持体１６０と干渉しないように、先端部を退避させる溝である。
【００２５】
支持体１６０は、退避溝１６２Ｌ，１６２Ｒそれぞれの左右方向外側に、上下方向に延びる２つのガイド溝１６３Ｌ，１６３Ｒを有する。ガイド溝１６３Ｌ，１６３Ｒには、移動体１５０の背面側から後方へ向けて突出する２つの突起部１５３Ｌ，１５３Ｒ（後述）がそれぞれ係合し、各先端部がガイド溝１６３Ｌ，１６３Ｒを貫通する。２つの突起部１５３Ｌ，１５３Ｒには、それぞれ、支持体１６０の背面側において先端部に抜け防止の鍔が取り付けられる。ガイド溝１６３Ｌ，１６３Ｒの上下方向の長さは、退避溝１６２Ｌ，１６２Ｒの長さよりも短く、一例として、退避溝１６２Ｌ，１６２Ｒの略半分の長さに形成されている。支持体１６０は、前述のガイドレール１６１とガイド溝１６３Ｌ，１６３Ｒとで移動体１５０を支持体１６０に対して位置決めし、移動体１５０の上下方向への移動を案内する。
【００２６】
支持体１６０は、さらに、ガイド溝１６３Ｌ，１６３Ｒそれぞれの左右方向外側に、上下方向に延びる２つのガイド溝１６４Ｌ，１６４Ｒを有する。ガイド溝１６４Ｌ，１６４Ｒは、支持体１６０の上下方向の長さよりも長く延び、それぞれ支持体１６０の下端よりも下方に突出して設けられている。ガイド溝１６４Ｌ，１６４Ｒには、第一装飾体１１０の背面側から後方へ向けて突出する２つの突起部１１４Ｌと、２つの突起部１１４Ｒ（後述）が、それぞれ係合する。第一装飾体１１０は移動体１５０よりも前方に配置され、突起部１１４Ｌ，１１４Ｒは、移動体１５０の左右両端よりも外方に配置されるため、第一装飾体１１０と移動体１５０とは上下方向への移動において干渉しない。４つの突起部１１４Ｌ，１１４Ｒには、それぞれ、支持体１６０の背面側において先端部に抜け防止の鍔が取り付けられる。
【００２７】
支持体１６０のガイド溝１６４Ｌ，１６４Ｒそれぞれの左右方向外側には、第一装飾体１１０を昇降するための動力源である２つの駆動モータ１８０Ｌ，１８０Ｒが、それぞれ設けられている。駆動モータ１８０Ｌ，１８０Ｒは支持体１６０の背面側から支持体１６０に組み付けられ、駆動軸が支持体１６０の板面を貫通して前面側に露出されており、各駆動軸の先端にピニオン１８５Ｌ，１８５Ｒがそれぞれ取り付けられている。ピニオン１８５Ｌ，１８５Ｒは、ガイド溝１６４Ｌ，１６４Ｒの上下方向中央付近に配置され、第一装飾体１１０のラック１１５Ｌ，１１５Ｒ（後述）にそれぞれ噛合する。駆動モータ１８０Ｌ，１８０Ｒは例えばステッピングモータであり、演出基板（図示外）の制御に従って所定角度分正転または反転することで、第一装飾体１１０を支持体１６０に対して所定長さ分昇降する。
【００２８】
また、支持体１６０のガイド溝１６４Ｌ，１６４Ｒそれぞれの左右方向やや内側には、上下方向に延びる検出溝１６６Ｌ，１６６Ｒがそれぞれ形成されている。第一装飾体１１０の背面側に突出された検出板１１６Ｌ，１１６Ｒがガイド溝１６４Ｌ，１６４Ｒそれぞれに係合する。ガイド溝１６４Ｌ，１６４Ｒの下端にはフォトセンサ１６９Ｌ，１６９Ｒがそれぞれ設けられている。検出板１１６Ｌ，１１６Ｒがガイド溝１６４Ｌ，１６４Ｒの下端に位置する場合に、フォトセンサ１６９Ｌ，１６９Ｒの発光部と受光部間の光信号が遮られ、フォトセンサ１６９Ｌ，１６９Ｒが検出板１１６Ｌ，１１６Ｒを検出する。これにより、演出基板のＣＰＵ（図示外）は第一装飾体１１０が移動範囲の下端に位置することを検知する。また、支持体１６０の上部背面側でガイドレール１６１と退避溝１６２Ｌ，１６２Ｒとの間には、後方へ向けて突出する支持軸１６８Ｌ，１６８Ｒがそれぞれ設けられている。支持軸１６８Ｌ，１６８Ｒは、後述する連結部材１７０Ｌ，１７０Ｒの支持穴１７８Ｌ，１７８Ｒ（後述）にそれぞれ係合し、連結部材１７０Ｌ，１７０Ｒを揺動可能に支持する。
【００２９】
次に、第一装飾体１１０について説明する。第一装飾体１１０は、板状をなし上下方向に延びる２つの昇降部１１７Ｌ，１１７Ｒのそれぞれの上部を、昇降部１１７Ｌ，１１７Ｒよりも細幅の板状をなし左右方向に延びる橋梁部１１９で接続した基体を有する。昇降部１１７Ｌ，１１７Ｒには、それぞれの左右方向外側の縁部分に、駆動モータ１８０Ｌ，１８０Ｒのピニオン１８５Ｌ，１８５Ｒに噛合する歯が設けられたラック１１５Ｌ，１１５Ｒが形成されている。また、昇降部１１７Ｌ，１１７Ｒの背面側には、上下方向に並ぶ２つの突起部１１４Ｌと突起部１１４Ｒとがそれぞれ設けられている。突起部１１４Ｌ，１１４Ｒは、昇降部１１７Ｌ，１１７Ｒの上端付近と下端付近の位置に、それぞれ１つずつ形成されている。前述したように、突起部１１４Ｌ，１１４Ｒは、支持体１６０のガイド溝１６４Ｌ，１６４Ｒにそれぞれ係合する。
【００３０】
橋梁部１１９には、前面側に、パチンコ機１のロゴマークを中央に据えた透光性を有する装飾板１１８が設けられており、図示しないＬＥＤ等が内蔵されている。橋梁部１１９の背面側には、略中央寄りの位置で互いに所定間隔離れた２カ所の位置に、後方へ向けて突出する２つの突起部１１２Ｌ，１１２Ｒが形成されている。突起部１１２Ｌ，１１２Ｒは、上下方向において、昇降部１１７Ｌ，１１７Ｒのラック１１５Ｌ，１１５Ｒの上端付近に配置されている。また、橋梁部１１９の左右方向略中央よりもやや左寄りの位置の上部には、左右方向に長い表示部１２０が設けられている。表示部１２０は複数（本実施形態では５つ）の７セグメント表示器を内蔵し、演出基板（図示外）の制御に従って、７セグメントＬＥＤの点灯表示による数字や文字、記号等の表示を行う。例えば、表示部１２０には、賞品球の払い出し数を表示させてもよいし、大当たりの期待値を表示させてもよい。さらに、パチンコ機１の操作ボタン９や図示外の操作ボタン等を用いて所定操作を行うことで、大当たり遊技の終了後も継続してカウントした賞品球の払い出し数を表示してもよい。また、表示部１２０の外周部にも、図示しないＬＥＤ等が一部に内蔵され、装飾が施された装飾板１２１が設けられている。
【００３１】
次に、移動体１５０について説明する。移動体１５０は、上下方向を幅方向として左右方向に延び、複数のリブによって補強された板体であり、上下方向の長さは支持体１６０よりも短い。また、移動体１５０の左右方向の長さは、支持体１６０の２つのガイド溝１６３Ｌ，１６３Ｒ間の長さよりも若干長く、ガイド溝１６４Ｌ，１６４Ｒ間の長さよりも短い。移動体１５０は背面側の左右方向中央よりもやや左寄りの位置（背面から見た場合には中央よりもやや右寄りの位置）に、前述したベアリング機構１５１を有し、支持体１６０のガイドレール１６１に係合する。ベアリング機構１５１はガイドレール１６１に案内され、移動体１５０は上下方向に円滑に移動することができる。
【００３２】
また、移動体１５０の背面側で左右両側且つ下側の角部には、後方へ向けて突出する２つの突起部１５３Ｌ，１５３Ｒが形成されている。前述したように、突起部１５３Ｌ，１５３Ｒはそれぞれ支持体１６０のガイド溝１６３Ｌ，１６３Ｒに係合し、ガイド溝１６３Ｌ，１６３Ｒに沿って上下方向に移動することができる。すなわち移動体１５０は、支持体１６０のガイドレール１６１に係合するベアリング機構１５１と、ガイド溝１６３Ｌ，１６３Ｒに係合する突起部１５３Ｌ，１５３Ｒとで、支持体１６０の板面に対して平行な状態を維持したまま、上下方向へ移動することができる。
【００３３】
移動体１５０の左右両側且つ上側の角部には、後述する第二装飾体１３０Ｌ，１３０Ｒそれぞれの背面側下端部に設けられて後方へ向けて突出する回転軸１３６Ｌ，１３６Ｒ（後述）がそれぞれ係合する軸穴１５６Ｌ，１５６Ｒが設けられている。また、移動体１５０の左右方向における略中央寄りの位置で互いに所定間隔離れた２カ所の位置に、上下方向に延びる２つの引掛穴１５２Ｌ，１５２Ｒが形成されている。引掛穴１５２Ｌ，１５２Ｒには前述した第一装飾体１１０の突起部１１２Ｌ，１１２Ｒがそれぞれ係合する。引掛穴１５２Ｌ，１５２Ｒの上下方向の長さは、支持体１６０の退避溝１６２Ｌ，１６２Ｒの長さよりも短く、一例としては、退避溝１６２Ｌ，１６２Ｒの略半分の長さに形成されている。前述したガイド溝１６３Ｌ，１６３Ｒの上下方向の長さと、引掛穴１５２Ｌ，１５２Ｒの上下方向の長さを加えると、退避溝１６２Ｌ，１６２Ｒの長さとなるように形成されている。
【００３４】
次に、第二装飾体１３０Ｌ，１３０Ｒについて説明する。第二装飾体１３０Ｌ，１３０Ｒは、左右対称形状でそれぞれ左右へ向けて狭窄しつつ延び、左右両端側が上側に反る板状の装飾物である。第二装飾体１３０Ｌ，１３０Ｒの前面側には羽根の形を模した透光性を有する装飾板１３１Ｌ，１３１Ｒがそれぞれ設けられ、図示しないＬＥＤ等が内蔵されている。第二装飾体１３０Ｌ，１３０Ｒの背面側には、下端部に、後方へ向けて突出する回転軸１３６Ｌ，１３６Ｒがそれぞれ形成されている。また、回転軸１３６Ｌ，１３６Ｒよりも上方で、第二装飾体１３０Ｌでは右端寄りの位置、第二装飾体１３０Ｒでは左端寄りの位置に、同様に、後方へ向けて突出する揺動軸１３９Ｌ，１３９Ｒがそれぞれ設けられている。回転軸１３６Ｌ，１３６Ｒは、上記した移動体１５０の上側の角部に設けられた軸穴１５６Ｌ，１５６Ｒにそれぞれ係合し、第二装飾体１３０Ｌ，１３０Ｒが回転軸１３６Ｌ，１３６Ｒを中心に回動可能に支持される。揺動軸１３９Ｌ，１３９Ｒは、支持体１６０に揺動可能に支持される連結部材１７０Ｌ，１７０Ｒの揺動穴１７９Ｌ，１７９Ｒにそれぞれ係合する。回転軸１３６Ｌ，１３６Ｒおよび揺動軸１３９Ｌ，１３９Ｒの先端部にも抜け防止の鍔が取り付けられる。
【００３５】
次に、連結部材１７０Ｌ，１７０Ｒについて説明する。連結部材１７０Ｌ，１７０Ｒは、前面に装飾が施された棒状に形成された板材で、両端に、前後方向に貫通する支持穴１７８Ｌ，１７８Ｒおよび揺動穴１７９Ｌ，１７９Ｒがそれぞれ形成されている。支持穴１７８Ｌ，１７８Ｒは、前述した支持体１６０の上部で略中央寄りの位置に設けられた支持軸１６８Ｌ，１６８Ｒにそれぞれ係合する。連結部材１７０Ｌ，１７０Ｒは支持軸１６８Ｌ，１６８Ｒを中心に、それぞれ揺動可能に支持体１６０に支持される。揺動穴１７９Ｌ，１７９Ｒは、前述した第二装飾体１３０Ｌ，１３０Ｒの中央寄りの端部にそれぞれ設けられた揺動軸１３９Ｌ，１３９Ｒにそれぞれ係合する。第二装飾体１３０Ｌ，１３０Ｒは、連結部材１７０Ｌ，１７０Ｒを介し、支持体１６０に連結する。上記したように、第二装飾体１３０Ｌ，１３０Ｒは、回転軸１３６Ｌ，１３６Ｒがそれぞれ移動体１５０の上側角部に設けられた軸穴１５６Ｌ，１５６Ｒに回転可能に係合する。移動体１５０が昇降する場合、第二装飾体１３０Ｌ，１３０Ｒは、回転軸１３６Ｌ，１３６Ｒの位置が移動体１５０の昇降に伴って上下方向に移動する。この場合において、第二装飾体１３０Ｌ，１３０Ｒの揺動軸１３９Ｌ，１３９Ｒと支持体１６０の支持軸１６８Ｌ，１６８Ｒとの位置関係が、連結部材１７０Ｌ，１７０Ｒによって一定距離に維持されるので、第二装飾体１３０Ｌ，１３０Ｒは回転軸１３６Ｌ，１３６Ｒを中心に回動する。
【００３６】
次に、カバー体１９０Ｌ，１９０Ｒについて説明する。カバー体１９０Ｌ，１９０Ｒは、支持体１６０の前面側に露出するピニオン１８５Ｌ，１８５Ｒと、ピニオン１８５Ｌ，１８５Ｒにそれぞれ噛合する第一装飾体１１０のラック１１５Ｌ，１１５Ｒをそれぞれ覆って保護するカバーである（図３参照）。カバー体１９０Ｌ，１９０Ｒは、それぞれ留穴１９７Ｌ，１９７Ｒを２つずつ有する。支持体１６０の前面側で、ピニオン１８５Ｌ，１８５Ｒおよびガイド溝１６４Ｌ，１６４Ｒの周囲には、前方へ向けて突出するネジピン１６７Ｌ，１６７Ｒが２つずつ設けられている。留穴１９７Ｌ，１９７Ｒはそれぞれネジピン１６７Ｌ，１６７Ｒに係合し、ネジピン１６７Ｌ，１６７Ｒの先端部に留穴１９７Ｌ，１９７Ｒがねじ止めされることによって、カバー体１９０Ｌ，１９０Ｒが支持体１６０に固定される。
【００３７】
このような構造の演出装置１００を用い、パチンコ機１における演出が行われる。以下、演出時における演出装置１００の動作について、図５〜図１０を参照して説明する。なお、図５〜図１０では、説明のため演出装置１００からカバー体１９０Ｌ，１９０Ｒ（図４参照）を取り外している。図５，図６に示すように、第一装飾体１１０および移動体１５０が上下方向における移動範囲の下端に位置する場合が、演出前の原点位置である。この状態は、支持体１６０のガイド溝１６４Ｌ，１６４Ｒの下端に設けられたフォトセンサ１６９Ｌ，１６９Ｒが第一装飾体１１０の検出板１１６Ｌ，１１６Ｒ（図４参照）を検出した状態である。
【００３８】
第一装飾体１１０は、昇降部１１７Ｌ，１１７Ｒの下側の突起部１１４Ｌ，１１４Ｒがそれぞれガイド溝１６４Ｌ，１６４Ｒの下端に位置し、その位置よりも下方への移動が規制される。この状態で、第一装飾体１１０は、昇降部１１７Ｌ，１１７Ｒのラック１１５Ｌ，１１５Ｒが、上端付近において、駆動モータ１８０Ｌ，１８０Ｒのピニオン１８５Ｌ，１８５Ｒにそれぞれ噛合した状態に維持される。移動体１５０は、突起部１５３Ｌ，１５３Ｒが支持体１６０のガイド溝１６３Ｌ，１６３Ｒの下端に位置し、その位置よりも下方への移動が規制される。また、第一装飾体１１０の突起部１１２Ｌ，１１２Ｒは、支持体１６０の退避溝１６２Ｌ，１６２Ｒ内で下端に位置する。このとき、突起部１１２Ｌ，１１２Ｒが、移動体１５０の引掛穴１５２Ｌ，１５２Ｒを下端において貫通するため、移動体１５０は、この突起部１１２Ｌ，１１２Ｒによって上方への移動も規制される。
【００３９】
第二装飾体１３０Ｌ，１３０Ｒは、移動体１５０が原点位置にあるため、回転軸１３６Ｌ，１３６Ｒが、支持体１６０の支持軸１６８Ｌ，１６８Ｒよりも下側に位置する。連結部材１７０Ｌ，１７０Ｒによって支持軸１６８Ｌ，１６８Ｒとの距離が一定に維持される揺動軸１３９Ｌ，１３９Ｒは、支持軸１６８Ｌ，１６８Ｒに対して概ね水平に位置する。揺動軸１３９Ｌ，１３９Ｒは回転軸１３６Ｌ，１３６Ｒよりも第二装飾体１３０Ｌ，１３０Ｒの中央寄りの端部に設けられている。よって第二装飾体１３０Ｌ，１３０Ｒは、連結部材１７０Ｌ，１７０Ｒに揺動軸１３９Ｌ，１３９Ｒ側が回転軸１３６Ｌ，１３６Ｒよりも上側に持ち上げられ、左右両端側が下方に下がった状態に維持される。演出基板のＣＰＵ（図示外）は、演出装置１００が原点位置の状態において、第一装飾体１１０の表示部１２０への表示や第一装飾体１１０および第二装飾体１３０Ｌ，１３０ＲのＬＥＤ等の点灯・点滅等による演出を行うことができる。
【００４０】
図７，図８に示すように、第一装飾体１１０が上下方向における移動範囲の略中間点に位置する場合を、第一演出位置とする。第一装飾体１１０を第一演出位置に移動させるとき、演出基板のＣＰＵは、原点位置を基準に駆動モータ１８０Ｌ，１８０Ｒを互いに逆方向へ所定角度分回転させる。第一装飾体１１０は、移動体１５０が原点位置に位置した状態のまま、上方へ移動して、第一演出位置に到達する。
【００４１】
具体的に、ピニオン１８５Ｌ，１８５Ｒの回転に従動するラック１１５Ｌ，１１５Ｒを有する昇降部１１７Ｌ，１１７Ｒが、突起部１１４Ｌ，１１４Ｒをそれぞれガイド溝１６４Ｌ，１６４Ｒに沿わせた状態で、上方へ移動する。昇降部１１７Ｌ，１１７Ｒ間を接続する橋梁部１１９が表示部１２０とともに上方へ移動し、橋梁部１１９の背面側から突出する突起部１１２Ｌ，１１２Ｒが移動体１５０の引掛穴１５２Ｌ，１５２Ｒ内を上方へ移動する。移動体１５０は突起部１１２Ｌ，１１２Ｒからの押圧を受けず、自身と上部に配置された第二装飾体１３０Ｌ，１３０Ｒの重みによって、原点位置を維持する。
【００４２】
演出基板の制御に基づき、第一装飾体１１０が第一演出位置に到達したとき、突起部１１２Ｌ，１１２Ｒは、引掛穴１５２Ｌ，１５２Ｒの上端に位置する。移動体１５０が原点位置から動かないので、第二装飾体１３０Ｌ，１３０Ｒは、支持体１６０との位置関係が変わらず、よって回動しない。第一装飾体１１０は、表示部１２０を原点位置よりも上方の位置に持ち上がった状態となり、遊技者は、移動のあった表示部１２０を含む第一装飾体１１０に、より注目を集める。上記同様、この状態において、演出基板のＣＰＵ（図示外）は、第一装飾体１１０の表示部１２０への表示や第一装飾体１１０および第二装飾体１３０Ｌ，１３０ＲのＬＥＤ等の点灯・点滅等による演出を行うことができる。演出内容を、表示部１２０への表示と第一装飾体１１０のＬＥＤ等の点灯・点滅等に制限すれば、ＣＰＵはさらに、遊技者の注目を第一装飾体１１０に集めることができる。
【００４３】
図９，図１０に示すように、第一装飾体１１０が上下方向における移動範囲の上端に位置する場合を、第二演出位置とする。第一装飾体１１０を第二演出位置に移動させるとき、演出基板のＣＰＵは、原点位置を基準に第一演出位置への移動で回転させた駆動モータ１８０Ｌ，１８０Ｒをさらに所定角度分回転させる。第一装飾体１１０は、第一演出位置から第二演出位置に移動する際には、移動体１５０とともに上方へ移動して、第二演出位置に到達する。
【００４４】
具体的に、ピニオン１８５Ｌ，１８５Ｒの回転に従動するラック１１５Ｌ，１１５Ｒを有する昇降部１１７Ｌ，１１７Ｒが、突起部１１４Ｌ，１１４Ｒをそれぞれガイド溝１６４Ｌ，１６４Ｒに沿わせた状態で、さらに上方へ移動する。昇降部１１７Ｌ，１１７Ｒ間を接続する橋梁部１１９が表示部１２０とともに上方へ移動し、橋梁部１１９の背面側から突出する突起部１１２Ｌ，１１２Ｒが、移動体１５０の引掛穴１５２Ｌ，１５２Ｒの上端を引っ掛けて、上方へ移動する。移動体１５０は引掛穴１５２Ｌ，１５２Ｒの上端が突起部１１２Ｌ，１１２Ｒにより下方から押圧を受け、突起部１５３Ｌ，１５３Ｒが支持体１６０のガイド溝１６３Ｌ，１６３Ｒに沿った状態で、第一装飾体１１０とともに上方へ移動する。
【００４５】
移動体１５０の上昇に伴い、軸穴１５６Ｌ，１５６Ｒに係合する第二装飾体１３０Ｌ，１３０Ｒの回転軸１３６Ｌ，１３６Ｒも上方へ移動する。回転軸１３６Ｌ，１３６Ｒは上方への移動に伴い、上下方向において支持体１６０の支持軸１６８Ｌ，１６８Ｒと水平位置に並び、さらに支持軸１６８Ｌ，１６８Ｒよりも上方へ移動する。連結部材１７０Ｌ，１７０Ｒによって支持軸１６８Ｌ，１６８Ｒとの距離が一定に維持される揺動軸１３９Ｌ，１３９Ｒは、回転軸１３６Ｌ，１３６Ｒよりも上方の位置を維持しつつも上下差が次第に小さくなる。これにより、第二装飾体１３０Ｌ，１３０Ｒは、移動体１５０とともに上昇するだけでなく、回転軸１３６Ｌ，１３６Ｒを中心に、第二装飾体１３０Ｌは時計回りに、第二装飾体１３０Ｒは反時計回りに回転する。
【００４６】
演出基板の制御に基づき、第一装飾体１１０が第二演出位置に到達したとき、昇降部１１７Ｌ，１１７Ｒの上側の突起部１１４Ｌ，１１４Ｒがそれぞれガイド溝１６４Ｌ，１６４Ｒの上端に位置し、その位置よりも上方への移動が規制される。この状態で、第一装飾体１１０は、昇降部１１７Ｌ，１１７Ｒのラック１１５Ｌ，１１５Ｒが、下端付近において、駆動モータ１８０Ｌ，１８０Ｒのピニオン１８５Ｌ，１８５Ｒにそれぞれ噛合した状態に維持される。移動体１５０は、突起部１５３Ｌ，１５３Ｒが支持体１６０のガイド溝１６３Ｌ，１６３Ｒの上端に位置し、その位置よりも上方への移動が規制される。また、第一装飾体１１０の突起部１１２Ｌ，１１２Ｒは、支持体１６０の退避溝１６２Ｌ，１６２Ｒ内で上端に位置する。このとき、突起部１１２Ｌ，１１２Ｒが、移動体１５０の引掛穴１５２Ｌ，１５２Ｒの上端を下方から押圧した状態を維持するため、移動体１５０は、この突起部１１２Ｌ，１１２Ｒによって下方への移動も規制される。
【００４７】
そして、第二装飾体１３０Ｌ，１３０Ｒは、上記のようにそれぞれ回動し、左右両端側が上方に上がった状態となる。第一装飾体１１０は、表示部１２０を第一演出位置よりもさらに上方の位置に持ち上がった状態となる。遊技者は、上方へ向けて移動した表示部１２０を含む第一装飾体１１０だけでなく、上方へ移動しつつ回転による形態の変化を加えた動作を行う第二装飾体１３０Ｌ，１３０Ｒに対しても注目を集める。演出基板のＣＰＵ（図示外）は、上記同様、第一装飾体１１０の表示部１２０への表示や第一装飾体１１０および第二装飾体１３０Ｌ，１３０ＲのＬＥＤ等の点灯・点滅等による演出を行うことができる。もちろん、ＣＰＵは、第一装飾体１１０の表示部１２０への表示、第一装飾体１１０のＬＥＤ等の点灯・点滅、および第二装飾体１３０Ｌ，１３０ＲのＬＥＤ等の点灯・点滅の少なくともいずれかによる演出を行えば、遊技者の注目対象を誘導することができる。
【００４８】
演出装置１００による演出後、演出基板は、第一装飾体１１０を第二演出位置から原点位置に戻すのに必要な所定角度分、駆動モータ１８０Ｌ，１８０Ｒを、上記とは反対向きに逆転させる。第一装飾体１１０は下降し、突起部１１２Ｌ，１１２Ｒによる引掛穴１５２Ｌ，１５２Ｒへの押圧が解除された移動体１５０は、第一装飾体１１０とともに自重で原点位置に戻る（図５，図６参照）。フォトセンサ１６９Ｌ，１６９Ｒが第一装飾体１１０の検出板１１６Ｌ，１１６Ｒ（図４参照）を検出すると、演出基板のＣＰＵは、第一装飾体１１０が原点位置に到達したと判断し、駆動モータ１８０Ｌ，１８０Ｒの回転を停止する。演出装置１００は次の演出の待機状態となる。
【００４９】
以上説明したように、第二装飾体１３０Ｌ，１３０Ｒは、移動体１５０の自重によって、移動体１５０とともに下方に位置している。第一装飾体１１０が駆動モータ１８０Ｌ，１８０Ｒによって上方向に移動するとき、第一装飾体１１０の突起部１１２Ｌ，１１２Ｒが移動体１５０の引掛穴１５２Ｌ，１５２Ｒ内を移動するため、移動体１５０と第二装飾体１３０Ｌ，１３０Ｒは動かない。これにより、第一装飾体１１０の表示部１２０のみに遊技者の注目を確実に集めることができる。第一装飾体１１０の上方向への移動をさらに続けた場合、移動体１５０の引掛穴１５２Ｌ，１５２Ｒの長さが第一装飾体１１０の移動範囲の長さ（原点位置と第二演出位置との間の長さ）より短いため、突起部１１２Ｌ，１１２Ｒが引掛穴１５２Ｌ，１５２Ｒの上端に達する。そして突起部１１２Ｌ，１１２Ｒで移動体１５０を上方向に押し上げるので、第二装飾体１３０Ｌ，１３０Ｒが第一装飾体１１０とともに上方向に移動する。第一装飾体１１０と第二装飾体１３０Ｌ，１３０Ｒが協働するため、演出がよりダイナミックなものとなり、遊技者に、遊技に対する期待感をより高めさせることができる。
【００５０】
表示部１２０に用いる７セグメント表示器（図示外）はドットマトリクスや液晶等の表示器と比べて表示できるメッセージが限られるので、メッセージを受け取った遊技者の想像力を働かせ、遊技に対する期待感や高揚感を高めさせることができる。
【００５１】
ラック１１５Ｌ，１１５Ｒとピニオン１８５Ｌ，１８５Ｒによる動力伝達は、ギアとギアの噛み合わせを複数段重ねて動力を伝達する場合と比べて省スペース化を図ることができる。ゆえに、第一装飾体１１０や第二装飾体１３０Ｌ，１３０Ｒのレイアウトに対する制限が小さくて済み、よりダイナミックな動作を行う装飾体を配置することが可能となる。また、動力伝達の段数が少なくて済むので、駆動モータ１８０Ｌ，１８０Ｒにかかる負荷が小さくて済む。
【００５２】
第一装飾体１１０とともに移動体１５０が上方に移動する際に、第二装飾体１３０Ｌ，１３０Ｒは、回動可能に支持される部位が上方に移動するが、支持体１６０に連結部材１７０Ｌ，１７０Ｒを介して連結するため、上昇しながら回動する。第二装飾体１３０Ｌ，１３０Ｒは単に上昇するだけでなく上昇しながら回動するという躍動的な動きを見せるので、第二装飾体１３０Ｌ，１３０Ｒよりも先に動作した第一装飾体１１０に集まっている遊技者の注目を、第二装飾体１３０Ｌ，１３０Ｒにも向けさせることができる。
【００５３】
演出基板のＣＰＵは、駆動モータ１８０Ｌ，１８０Ｒの回転制御によって第一装飾体１１０の移動位置を調整するだけで、第一装飾体１１０だけが動作する演出と、第一装飾体１１０と第二装飾体１３０Ｌ，１３０Ｒが協働する演出とを容易に選択することができる。
【００５４】
本発明は、以上説明した実施形態に限定されるものではなく、本発明の要旨を逸脱しない範囲内において種々の変更が可能であることは言うまでもない。例えば、演出基板は、駆動モータ１８０Ｌ，１８０Ｒの制御において、第一演出位置に限らず、原点位置と第二演出位置との間の任意の位置で、第一装飾体１１０の移動を停止させてもよい。また、原点位置から第一演出位置に到達した後、原点位置に戻す制御を行ってもよいし、第一演出位置から第二演出位置に向かう途中で、第二演出位置には到達させずに第一演出位置あるいは原点位置に戻してもよい。また、表示部１２０は７セグメント表示器であることがより望ましいが、もちろん、ドットマトリクスや液晶等、他の表示方式の表示器を用いてもよい。
【００５５】
なお、本発明においては、パチンコ機１が「遊技機」に相当する。駆動モータ１８０Ｌ，１８０Ｒが「モータ」に相当する。突起部１１２Ｌ，１１２Ｒが「ピン」に相当する。引掛穴１５２Ｌ，１５２Ｒが「係合溝」に相当する。演出基板のＣＰＵが「制御手段」に相当する。
【符号の説明】
【００５６】
１    パチンコ機
１００    演出装置
１１０    第一装飾体
１１２Ｌ，１１２Ｒ  突起部
１１５Ｌ，１１５Ｒ  ラック
１２０    表示部
１３０Ｌ，１３０Ｒ  第二装飾体
１５０    移動体
１５２Ｌ，１５２Ｒ  引掛穴
１６０    支持体
１７０Ｌ，１７０Ｒ  連結部材
１８０Ｌ，１８０Ｒ  駆動モータ
１８５Ｌ，１８５Ｒ  ピニオン
【図１】
2014061216.tif 000003
【図２】
2014061216.tif 000004
【図３】
2014061216.tif 000005
【図４】
2014061216.tif 000006
【図５】
2014061216.tif 000007
【図６】
2014061216.tif 000008
【図７】
2014061216.tif 000009
【図８】
2014061216.tif 000010
【図９】
2014061216.tif 000011
【図１０】
2014061216.tif 000012